(57)【要約】      （修正有）【課題】被検査物体の異物が特定される大きさを大きくでき、かつ検出精度の高い異物検出方法を提供する。【解決手段】先ず、レーザー光源と、水平および水平の両方向の移動を与えるために調整可能治具１０４に支持されているレーザー検出器とを測定される被検査物１０２の第１側に設ける。そして、被検査物１０２の第２側にレーザー反射装置を設け、レーザー発生源から、被検査物の表面の上の検出位置を通過して到来したレーザービーム１０７を、レーザー反射装置１０８によりレーザー検出器に向かって反射する。続いて、レーザー検出器によって、フィードバックライトビーム１０９の強度を受光して測定する。【選択図】図１
2006105976.tif 000002
【特許請求の範囲】
【請求項１】
ディスプレイパネルの生産プロセスにおける異物検査方法であって、
レーザー光源およびレーザー検出器を被検査物の第１側に取り付け、
ここで、前記レーザー検出器は、該レーザー検出器の位置を水平および垂直の両方向に調節するために調整可能治具に取り付け、
前記被検査物の第２側に反射装置を設け、
前記レーザー光源を使用して、前記反射装置に対して前記被検査物の上に位置する検出位置を通過するレーザービームを照射し、前記反射装置によりフィードバックライトビームを形成し、
前記フィードバックライトビームを前記レーザー検出器で受光し、
前記フィードバックライトビームの強度を検出することを含むディスプレイパネルの生産プロセスにおける異物検査方法。
【請求項２】
前記被検査物は、製造ステージである請求項１に記載のディスプレイパネルの生産プロセスにおける異物検査方法。
【請求項３】
前記被検査物は、基板である請求項１に記載のディスプレイパネルの生産プロセスにおける異物検査方法。
【請求項４】
前記基板は、ガラスパネルである請求項３に記載のディスプレイパネルの生産プロセスにおける異物検査方法。
【請求項５】
前記反射装置は、レーザービームを反射して前記フィードバックライトビームを形成するために使用される反射鏡である請求項１に記載のディスプレイパネルの生産プロセスにおける異物検査方法。
【請求項６】
前記レーザービームは、長距離レーザービームである請求項１に記載のディスプレイパネルの生産プロセスにおける異物検査方法。
【請求項７】
前記レーザービームの強度と前記フィードバックライトビームの強度との間の差は、強度減衰値を表す請求項１に記載のディスプレイパネルの生産プロセスにおける異物検査方法。
【請求項８】
前記強度減衰値が予め定めた減衰値より大きい場合は、それが前記被検査物上に異物が存在することを示す請求項７に記載のディスプレイパネルの生産プロセスにおける異物検査方法。
【請求項９】
前記被検査物または前記レーザー装置を移動して前記被検査物の他の位置の異物を検出することをさらに含む請求項１に記載のディスプレイパネルの生産プロセスにおける異物検査方法。
【発明の詳細な説明】
【技術分野】
【０００１】
本発明は、異物検出方法に関し、特に、ディスプレイパネルの生産プロセスのための製造ステージまたは基板の上の異物を検出する方法に関するものである。
【背景技術】
【０００２】
一般に、製造ステージおよび基板の表面を清潔に保つことは、液晶ディスプレイ（ＬＣＤ）の製造にとって、それらの上にある何らかの粒子が、プロセスの品質と安定性を低下させ、製造ステージおよび製品に損傷を与えるおそれがあるので、非常に重要である。
【０００３】
特に、ＬＣＤの後段プロセスの配向膜（alignment film）塗布プロセスの間に、製造ステージまたは基板の表面に存在する異物は、塗布プロセスを順調に実行することを阻害し、このため、配向膜の品質に影響し、ＬＣＤの品質管理を低下させる。さらに、異物は、塗布ローラーまたは装置の損傷、および、ガラス基板の破損をも招き得るので、生産性に影響し、装置の寿命を縮める。
【０００４】
それ故、製造ステージおよび基板の表面を清潔に保つことに加えて、異物を検出する処理も必要とされる。一般に、生産プロセスの開始前に、異物検出処理が製造ステージまたは基板表面に対して最初に実行され、もし何らかの異物が検出されたなら生産プロセスは停止され、こうして、製造ステージまたは基板表面の異物が製品および装置に損傷を与えること効果的に防止する。
【０００５】
従来の異物検出処理は、レーザービームまたは拡散光を使用して、製造ステージまたは基板表面の、光の散乱、反射または屈折の強度変化に基づいて異物を監視する検出を実行する。しかし、拡散光の使用により、特定される物体の大きさは相当に限定され、それによる異物検出の精度は、ディスプレイパネル生産プロセスまたは半導体生産プロセスにおいても、我々にとって十分に適切ではない。このため、従来の異物検出方法は、異物検出の精度を高めるために、殆どがレーザー光源を採用する。
【０００６】
しかしながら、従来の異物検出方法は、すべて、製造ステージまたは基板の上にレーザー光源を配置し、直接製造ステージまたは基板の表面に照射し、そして反射または拡散および屈折の後のレーザービームの状態を観測する。レーザービームは、製造ステージ、基板および異物により同時に干渉し、そのため、もし製造ステージおよび基板の上の異物の屈折率が製造ステージおよび基板のそれと近ければ、異物を検出することができない。例えば、ガラス片の屈折率は、ガラス基板のそれと同じである。さらに、小さな異物粒子はレーザービームの干渉の度合いが明確でなく、製造ステージおよび基板の干渉の影響を受けやすく、検出されにくい。さらに、レーザービームは、製造ステージおよび基板を形成する材質に合わせて頻繁に効果的な較正をする必要があり、このため、実際の測定の多くの誤差と検出の精度の限界とをもたらす。
【発明の開示】
【発明が解決しようとする課題】
【０００７】
それ故に、異物検出のために、それにより製造ステージまたは基板の上の異物の監視に資する、正確性と精度を増進する方法を提供することが望まれる。
【０００８】
本発明の１つの局面は、ＬＣＤまたは半導体回路の生産において、製造ステージまたは基板の上の異物を検出する方法を提供することである。ＬＣＤの生産において、製造ステージまたは基板の頂面を横断してレーザービームを照射し、反射装置で反射してフィードバックレーザービームを形成する。そして、反射装置によるフィードバックレーザービームの強度を測定する。もしも異物が存在すれば、フィードバックレーザービームの強度は、異物による屈折または吸収のために減衰する。
【課題を解決するための手段】
【０００９】
本発明の前記局面に関し、製造ステージまたは基板上の異物を検出するのに使用される改良された方法がＬＣＤまたは半導体回路の生産のために提供される。本発明の好ましい態様によれば、検出すべき被検査物の上の異物検出に使用される方法は、以下のステップからなる。先ず、レーザー光源とレーザー検出器とを有するレーザー装置を、被検査物の１つの側に設置し、レーザー検出器と直線上に並んだ反射装置が被検査物の他の側に設置する。そして、レーザー光源により被検査物の表面を横断してレーザービームを照射し、反射装置によりレーザー検出器に反射して返し、こうして、反射装置によってフィードバックライトビームを形成する。続いて、被検査物の表面に何らかの異物が存在するかを判定するために、フィードバックライトビームの強度を測定してレーザーの強度が減衰しているかどうかを判定する。
【００１０】
本発明の好ましい態様において、被検査物は、ＬＣＤ生産における製造ステージまたは基板である。レーザー装置は、レーザー検出器の水平および垂直両方の位置を正確に調整する調整可能治具に取り付けられ、レーザー装置から到来するレーザービームが被検査物の表面上の所定の位置を通過して反射鏡に至るようにできる。そして、フィードバックライトビームは、反射鏡により形成され、レーザー装置に戻される。レーザービームとフィードバックライトビームとの間の強度の差に従って、このように、被検査物の表面上の如何なる異物も認知できる。
【００１１】
本発明において開示された方法に関し、レーザービームの強度は、被検査物の表面上に存在する異物によってのみ屈折または吸収され得るが、被検査物によっては全く影響されないので、異物の存在は、明瞭に検出され、たとえ被検査物と同じ屈折率を有する異物であってもそれによって正確に検出することができる。
【００１２】
それ故に、本発明の異物検出方法の適用は、異物検出の正確性と精度とを向上することができるだけでなく、検出すべき被検査物の変化に合わせた較正処理の頻度を低減することもでき、さらに、生産プロセスの異物の存在による損傷および悪影響を防止し、こうして、生産プロセスの安定性と製品の良率とを維持し、生産コストの損失を低減し、生産機器の寿命を延長する。
【発明を実施するための最良の形態】
【００１３】
本発明の前述の局面および多くの付随する利点は、添付図面とともになされる以下の詳細な説明を参照することでよりよく理解される。
【００１４】
検出すべき被検査物上の異物を検出するのに使用される改良された方法が提供されている。本発明の好ましい態様に従って、レーザー光源とレーザー検出器とを有するレーザー装置を被検査物の１方の側に設置し、反射装置をレーザー光源と直線上に並んで被検査物の他方の側に設置する。そして、レーザー光源によってレーザービームを被検査物の表面を横断して照射し、反射装置によりレーザー検出器に向かって反射させる。続いて、フィードバックライトビームの強度を測定し、レーザーの強度が減衰しているかどうかを判定するために、レーザービームの強度と比較する。その結果により、被検査物の表面上に何らかの異物が存在するかどうかを認知することができる。
【００１５】
本発明の前述の局面および多くの付随する利点は、以下実施形態を参照してより容易に理解される。
【００１６】
（実施形態）
以下の詳細な実施形態は、ＬＣＤ生産プロセスに提供される製造ステージまたは基板の上の異物を検出する改良された方法である。
【００１７】
図１は、本発明の好ましい態様により、ＬＣＤ生産プロセスの間に製造ステージまたは基板の上の異物を検出する方法についてのものである。製造ステージ１０２は、可動キャリア１００の上に水平に取り付けられている。製造ステージ１０２の１つの側に調整可能治具１０４が設けられ、調整可能治具１０４は、水平および垂直の両方向に調整可能である。レーザー光源およびレーザー検出器を有するレーザー装置１０６が、調整可能治具１０４の上に取り付けられ、レーザー光源は長距離（long-distance）レーザービームを照射でき、レーザー検出器は長距離レーザービームを受光し、計測できる。反射鏡のような反射装置１０８が、レーザー装置１０６のレーザー検出器と直線上に並んで設置されている。製造ステージ１０２の頂面に平行なレーザービーム１０７が、レーザー装置１０６のレーザー光源により照射され、そして、レーザービームは、反射装置１０８により反射されてフィードバックレーザービーム１０９を形成する。フィードバックレーザービーム１０９の強度は、レーザー装置１０６により計測され、レーザービーム１０７の強度と比較される。
【００１８】
レーザー装置１０６の位置は、水平および垂直の両方向に沿って治具１０４により、レーザービーム１０７が製造ステージ１０２の上を通過するように、調整可能である。製造ステージ１０２を水平に駆動する可動キャリア１００は、レーザービーム１０７が製造ステージ１０２の上の如何なる位置を通過するようにもすることができる。
【００１９】
反射装置１０８は、レーザービーム１０７をレーザー装置１０６に向かって反射し、フィードバックレーザービーム１０９を形成するのに使用される。レーザー装置１０６のレーザー検出器は、フィードバックレーザービーム１０９を受光し、フィードバックレーザービーム１０９の強度を計測し、フィードバックレーザービーム１０９の強度をレーザービーム１０７の強度と比較するのに用いられる。強度減衰値としてのレーザービーム１０７の強度とフィードバックライトビーム１０９の強度との間の差は、製造ステージ１０２の表面の上に何らかの異物があるかを判定するのに使用される。
【００２０】
フィードバックレーザービーム１０９は、製造ステージ１０２により屈折または吸収されない。このため、製造ステージ１０２の表面上に異物が存在しないとき、レーザービーム１０７は、反射装置１０８によって僅かな損失でレーザー装置１０６に向かって反射し、これにより、フィードバックレーザービーム１０９の強度とレーザービーム１０７の強度が実質的に同じになる。製造ステージ１０２の表面上に異物が存在するとき、フィードバックレーザービーム１０９は、その上にある異物によって屈折または吸収され、反射したレーザーの強度は、ある減衰度合いで減衰する。結果として、製造ステージ１０２の表面上の異物の存在は、上述の方式で認知することができる。
【００２１】
製造ステージ１０２の表面上に何らかの異物があるかどうかを判定する条件として、予め定められたレーザー強度減衰値が与えられる。強度減衰値が予め定められたレーザー強度減衰値より小さいとき、製造ステージ１０２の表面上に異物があることを示し、生産機器またはプロセス管理システムは即座に運転停止しなければならない。
【００２２】
本実施形態において、製造ステージ１０２上の全ての位置の検出をするために、水平に製造ステージ１０２を移動する可動キャリア１００を使用したが、本発明は、製造ステージ１０２上の全ての位置を通して検出を遂行するために、レーザー装置の位置を水平方向に変えることもできる。さらに、本発明により提供される方法は、ＬＣＤ生産のための製造ステージまたは基板の上の異物を検出することに限定しなくてよい。本方法は如何なる製造ステージまたは基板に対しても適応できる。
【００２３】
従って、レーザービームは、検出される被検査物の表面を横断して通過するだけであり、そのため、レーザービームの強度は、ただ被検査物の表面上に存在する異物によってのみ屈折または吸収され、被検査物によっては全く影響を受けない。例えば、ＬＣＤパネルの製造ステージまたは基板はレーザーを若干屈折させるので、ガラス片のようなガラス基板と同じ屈折率を有する異物を容易に確認でき、レーザーを少し屈折させる粒子もより簡単に確認できる。さらに、生産プロセスの状況に応じて異なるレーザービームを適用し、本発明の方法の精度を高めることができる。例えば、本発明の方法の信頼性を高めるために、生産プロセスの間に生成されると思われる粒子の特性に合わせて、異なる強度または波長を有する様々なレーザービームが適用できる。
【００２４】
検出すべきＬＣＤパネルの製造ステージまたは基板がそれらの表面を横断するレーザービームに影響を及ぼさないので、基本的に、それらの材質が変更されたときにレーザービームを変更する必要がないことは評価に値する。
【００２５】
本発明のいくつかの実施形態において、本方法は、製造ステージに直接照射されるレーザービームではなく、製造ステージを横断するレーザービームを適用して異物を確認する。これは、基板を保持するために基板に設けたバキューム穴による測定誤差を避けることができる。
【００２６】
このために、本発明は、ＬＣＤまたは半導体回路のための如何なる種類の製造ステージまたは基板にも適用でき、異物の存在を検出するより正確な方法を提供できる。この検出方法の改良は、良率を上げ、装置の寿命を延長できるように、装置および製品の生産プロセスの間の異物の影響による損傷を防止する。例えば、基板上の異物の存在が正確に確認できるので、配向層を形成するプロセス中のＬＣＤパネルへのガラス片の影響は低減される。
【００２７】
当業者に理解されるように、前述の本発明の好ましい実施形態は、本発明を限定するものではなく、本発明を説明するものである。多くの改良と同様の処理は、添付の特許請求の範囲の精神と範囲に含まれ、その範囲は、そのような改良と同様の構成の全てを包含するように、広範な解釈を認めなければならない。
【図面の簡単な説明】
【００２８】
【図１】本発明の好ましい実施形態による、ＬＣＤ製造の間に製造ステージまたは基板の上の異物を検出する方法の概略図。
【図１】
2006105976.tif 000003
【外国語明細書】
METHOD OF DETECTING FOREIGN OBJECTS FOR DISPLAY PANEL FABRICATION
Field of the Invention
The present invention relates to a method for detecting foreign object, and more particularly, relates to a method of detecting foreign objects on a working stage or a substrate for a display panel fabrication.
Background of the Invention
Generally, keeping a working stage and the surface of a substrate clean is crucial for fabricating a liquid crystal display (LCD), for any particle existing thereon may degrade the quality and stability of the process, or even result in damages to the working stage and the product.
Especially, during an alignment film coating process of the LCD back-end process, the foreign objects existing on the working stage or on the surface of the substrate will deter the coating process from being smoothly performed, thus effecting the quality of the alignment film and lowering the quality control of the LCD.  Further, the foreign particles may cause damages to coating rollers or other equipment, and even break a glass substrate, thus effecting productivity and reducing the operation life of the equipment.  
Hence, besides keeping the working stage and the surface of the substrate clean, a foreign objects detecting step is also needed.  Generally, before the manufacturing process starts, the foreign objects detecting step is first performed onto the working stage or the substrate surface, wherein if any foreign object is detected, then the manufacturing process is stopped, thus effectively preventing the foreign objects on the working stage or the substrate surface from damaging the products and equipment.
The conventional foreign objects detecting step uses a laser beam or diffusion light to perform detection on the working stage or the substrate surface, wherein the foreign objects are monitored in accordance with the intensity changes of light diffusion, reflection or refraction. However, by using the diffusion light, the object size that can be identifies is rather limited, and the precision of detecting the foreign objects thereby is not sufficient to be suitable us in a display panel or even semiconductor manufacturing process.  Therefore, the current foreign objects detecting method mostly adopts the laser source so as to increase the precision of detecting the foreign objects.
However, the current foreign objects detecting methods all place a laser source above a working stage or a substrate, and directly irradiate the surface of the working stage or substrate, and then observe the states of the laser light before and after reflection or diffusion and refraction.  The laser light is interfered simultaneously by the working stage, the substrate and the foreign objects, and thus, if the refractive indexes of the foreign objects located on the working stage and the substrate are close to those of the working stage and the substrate, then the foreign objects cannot be detected.  For example, the refractive index of the glass scrap is the same as that of the glass substrate.   Further more, since the even smaller foreign particles have less apparent degrees of interference against the laser light, and are susceptible to the inference from the working stage and the substrate, they are hardly to be detected. Further, the laser light has to be frequently calibrated effecting accordance with the materials forming the working stage and the substrate, thus resulting in many errors of the actual measurement and limiting the detection precision.
Summary of the Invention
Therefore, it is desirable to provide a method for promoting the accuracy and precision for detecting foreign objects, thereby benefiting the monitoring of foreign objects on the working stage or a substrate.
One aspect of the present invention is to provide a method for detecting foreign objects on the working stage or a substrate for manufacturing a LCD or a semiconductor circuit.  A laser beam passing across the top surface of a working stage or a substrate for a LCD fabrication is provided, and is reflected to form a feed back laser beam by a reflector. Then, the intensity of the feed back laser beam by a reflector is determined. If there exists any foreign objects, the intensity of the feedback laser beam should be attenuated due to refraction or absorption by the foreign objects.
According to the aspect of the present invention, an improved method used for detecting foreign objects on the working stage or a substrate is provided for manufacturing a LCD or a semiconductor circuit. In accordance with a preferred embodiment of the present invention, the method used for detecting foreign objects on a target to be detected comprises the steps as follows: At first, a laser device having a laser source and a laser detector is installed on one side of the target, and a reflector aligned the laser detector is installed on the other side of the target.  Then, a laser beam provided by the laser source passes across the surface of the target and is reflected back to the laser detector by the reflector, and thus a feedback light beam is formed by the reflector. Subsequently, the intensity of the feedback laser beam is measured to determine if any laser intensity is attenuated, so as to determine, if there is any foreign objects existing on the surface of the target. 
In the preferred embodiments of the present invention, the target can be referred to a working stage or a substrate for manufacturing a LCD. The laser device is mounted on an adjustable gauge to adjust both horizontal and vertical positions of the laser detector precisely, so that the laser beam coming from the laser device can pass through a predetermined position over the surface of the target to a reflecting mirror. Then, a feedback light beam is formed by the reflecting mirror and returns to the laser device. In accordance with the difference between the intensity of the laser beam and the intensity of the feedback light beam, any foreign objects existing on the surface of the target can thus be recognized.
According to the method disclosed in the present invention, since the intensity of the laser beam   may be refracted or absorbed only by the foreign objects existing on the surface of the target, and is not affected by the target at all, the existence of the foreign objects can be detected clearly, and even the foreign objects having similar refractivity with the target also can be accurately detected thereby.
Therefore, the application of the foreign objects detecting method of the present invention, not only can increase the accuracy and precision of detecting foreign objects, but also can reduce the frequency of performing a calibration step in accordance with the changes of the target to be detected, and further can prevent the manufacturing process from being damaged and affected by the existence of the foreign objects, thus maintaining the stability of the manufacturing process and the product yield; reducing the loss of the fabrication cost; and elongating the operation life of the processing equipment.  
Brief Description of the Drawings
The foregoing aspects and many of the attendant advantages of this invention will become more readily appreciated as the same becomes better understood by reference to the following detailed description, when taken in conjunction with the accompanying drawings, wherein: 
FIG. 1 regards a method for detecting the foreign objects on a working stage or a substrate during a LCD fabrication, in accordance with the preferred embodiment of the present invention.
Detailed Description of the Preferred Embodiments
An improved method used for detecting foreign objects on a target to be detected is provided. In accordance with a preferred embodiment of the present invention, a laser device having a laser source and a laser detector is installed on one side of a target, and a reflector aligned the laser detector is installed on the other side of the target.  Then, a laser beam provided by the laser source passes across the surface of the target and is reflected back to the laser detector by the reflector, wherein a feedback light beam is formed by the reflector. Subsequently, the intensity of the feedback laser beam is measured and compared to the intensity of the laser beam, so as to determine if the laser intensity is attenuated. In accordance with the result, whether there is any foreign object existing on the surface of the target can thus be recognized. 
The foregoing aspects and many of the attendant advantages of this invention will become more readily appreciated by reference to the following detailed embodiment:
EMBODIMENT
The following detailed embodiment is an improved method for detecting foreign objects on a working stage or a substrate is provided for a LCD fabrication.
FIG. 1 is about a method for detecting the foreign objects on a working stage or a substrate during a LCD fabrication, in accordance with the preferred embodiment of the present invention.  A working stage 102 is horizontally mounted on a movable carrier 100. An adjustable gauge 104 located on one side of the working stage 102 is provided, wherein the adjustable gauge 104 can be adjusted along both horizontal and vertical directions. A laser device 106 having a laser source and a laser detector is mounted on the adjustable gauge 104,wherein the laser source can provide a long-distance laser beam and the laser detector can receive and measure a long-distance laser beam. A reflector 108, such as a reflecting mirror is installed in alignment with the laser detector of the laser device 106.  A laser beam 107 that is parallel to the top surface of the working stage 102 is provided by the laser source of the laser device 106, and then the laser beam is reflected back to form a feedback laser beam 109 by the reflector 108. The intensity of the feedback laser beam 109 is measured and compared to that of the laser beam 107 by the laser device 106. 
The position of the laser device 106 can be adjusted along both horizontal and vertical directions via the gauge 104 so as to control the positions of the laser beam 107 passing through above the working stage 102. The movable carrier 100 horizontally driving the working stage 102 can make the laser beam 107 passing through any position on the working stage 102.
The reflector 108 is used to reflect the laser beam 107 back to the laser device 106 so as to form the feedback laser beam 109. The laser detector of the laser device 106 is used for receiving the feedback laser beam 109; measuring the intensity of the feedback laser beam 109; and comparing the intensity of the feedback laser beam 109 with the intensity of the laser beam 107. The difference between the intensity of the laser beam 107 and that of the intensity of the feedback laser beam 109 for a intensity attenuation value used for determining if there are any foreign objects on the surface of the working stage 102.
The reflected laser beam 109 is not refracted or absorbed by the working stage 102. Thus, when no foreign objects exist on the surface of the working stage 102, the laser beam 107 can be reflected back to the laser device 106 by the reflector 108 with little loss, so that the intensity of the feedback laser beam 109 and that of the laser beam 107 are substantially the same. When foreign objects exist on the surface of the working stage 102, the reflected laser beam 109 is refracted or absorbed by the foreign objects existing thereon, and the reflected laser intensity is attenuated with certain degrees of attenuation. Consequently, the existence of foreign objects on the surface of the working stage 102 can be recognized by the principle described above.
A predetermined laser intensity attenuation value is provided as a condition to determine if there are any foreign objects on the surface of the working stage 102. When the intensity attenuation value is lower than the predetermined laser intensity attenuation value, it is indicated that there are foreign objects on the surface of the working stage 102, and the processing apparatuses or the processing control system has to be shutdown immediately.
Although in the present embodiment uses the movable carrier 100 horizontally to move the working stage 102, for detecting every position on the working stage 102, yet the present invention also can horizontally change the position of the laser device to accomplishing the detection throughout every position on the working stage 102.Furthermore, the method provided by the present invention may not be restricted for detecting the foreign objects on the working stage or the substrate for manufacturing a LCD. The present method may be suitable for any kind of working stage or substrate.
Accordingly, the laser beam merely passes across the surface of the target to be detected, so that the intensity of the laser beam is merely refracted or absorbed by the foreign objects existing on the surface of the target, and is not affected by the target at all. For example, since the working stage or the substrate of a LCD panel refracts little laser, the foreign objects having similar refractivity with the glass substrate, such as glass scraps can be identified easily, and particles refracts little laser can also be identified more easily. Furthermore, different laser beams can be applied in accordance with the context of the manufacture process to enhance the precision of the present method.  For example, various laser beams with different intensities or wavelengths can be applied in accordance with the properties of the particles likely generated during the manufacture process, so as to enhance the reliability of the present method.
It must be appreciated that, since the working stage or the substrate of a LCD panel to be detected cannot affect the laser beam passing across the surface thereon, basically it is not necessary to change the laser beam when the material thereof is changed. 
In some embodiment of the present invention, the present method applies a laser beam across a working stage to identify foreign objects rather applies a laser beam on a working stage directly. This can avoid the measuring variation due to vacuum holes that are set on the working stage for holding a substrate.
Therefore, the present invention can be applied in any kind of working stage or substrate for manufacturing a LCD or a semiconductor circuit to provide an improved method with more precision for detecting the existence of foreign objects. The improvement of the detecting results can prevent the apparatus and products from damage due to the impact of foreign objects during the manufacturing process, so as the yield can be increased, and the operation life of the apparatus can be elongated. For example the impact of a glass scrap occurs on a LCD panel during the process for forming an alignment layer may be reduced, as the foreign objects exists on the substrate is precisely identified.
As is understood by a person skilled in the art, the foregoing preferred embodiments of the present invention are illustrated of the present invention rather than limiting of the present invention. It is intended to cover various modifications and similar arrangements included within the spirit and scope of the appended claims, the scope of which should be accorded the broadest interpretation so as to encompass all such modifications and similar structure.
What is claimed is:
1. A method of detecting foreign objects in a display panel fabrication, wherein the method comprising:
mounting a laser source and a laser detector on a first side of a target to be detected, wherein the laser detector is mounted on an adjustable gauge to adjust both horizontal and vertical positions of the laser detector;
providing a reflector located on a second side of the target ;
using the laser source to provide a laser beam  passing through a detecting position located above the target to the reflector, wherein a feedback light beam is formed by the reflector; 
receiving the feedback light beam with the laser detector; and 
measuring the intensity of the feedback light beam.
2. The method of claim 1, wherein the target is a working stage. 
3. The method of claim 1, wherein the target is a substrate.
4. The method of claim 3, wherein the substrate is a glass panel.
5. The method of claim 1, wherein the reflector is a reflecting mirror used for reflecting the laser beam to form the feedback light beam.
6. The method of claim 1, wherein the laser beam is a long-distance laser beam.
7. The method of claim 1, wherein the difference between the intensity of the laser beam and the intensity of the feedback light beam stands for an intensity attenuation value.
8. The method of claim 7, wherein, when the intensity attenuation value is larger than a predetermined attenuation value, it is indicated that at least one foreign object exists on the target.
9. The method of claim 1, further comprising:
moving the target or the laser detector for detecting foreign objects at other positions  on the target.
ABSTRACT 
A method of detecting foreign objects in display manufacturing process, wherein the method comprising steps as flows: First a laser source and a laser detector are provided on a first side of a target to be measured, wherein the laser detector is supported by an adjustable gauge to provide the laser detector both horizontal and vertical movement. Then, a reflector located is provided on a second side of the target, wherein a laser beam coming from the laser source passes through a detecting position over the surface of the target, and is reflected to the laser detector by the reflector. Subsequently the intensity of the reflected laser beam is received and measured of by the laser detector.
2006105976.tif 000004